(57)【要約】【課題】  画像の撮影情報からスライドショー表示の際の動きを自動的に決定し得るスライドショー表示方法、撮像装置、画像再生装置、及びプログラムの提供【解決手段】  スライドショー表示が選択されると（Ｔ１）、再生カウンタｉに１をセットし（Ｔ２）、保存メモリからｉ番目の画像データとＡＦ情報（合焦位置と被写体距離）を読み出す（Ｔ３、Ｔ４）。次にＡＦ情報に基づいて再生画像の動きを決定し（Ｔ５）、画像データを再生し、画像を決定された動きに従って表示させる（Ｔ６）。  ステップＴ５（画像の動作決定アルゴリズム）で決定された動作により、ステップＴ６で、遠景の被写体にはパン動作により遠景全体を見回すように画像が表示され、近景左側の被写体にはズームイン動作により合焦位置に焦点を合わすように画像がズームされる。【選択図】  図５
2006054523.tif 000002
【特許請求の範囲】
【請求項１】
保存メモリに撮影情報とともに保存されている画像データを再生し、再生された画像を表示する画像表示装置におけるスライドショー表示方法であって、
前記保存メモリに保存されている画像データを読み出すステップと、前記画像データに対応付けられて前記保存メモリに保存されている撮影情報を読み出すステップと、読み出した撮影情報を基に再生画像の動きを決定するステップと、前記読み出した画像データから画像を再生し前記決定された動きに従って表示するステップと、
を備えたことを特徴とするスライドショー表示方法。
【請求項２】
被写体を撮影してその画像データを生成し、生成した画像データを保存メモリに保存する撮影モードと、前記保存メモリに保存されている画像データを再生して表示する画像再生モードを備えた撮像装置におけるスライドショー表示方法であって、
撮影モードで、
撮影した画像の撮影情報を得るステップと、前記撮影により得た画像データを保存メモリに保存するステップと、前記撮影情報を前記画像データに対応付けて保存メモリに保存するステップと、
画像再生モードにおいてスライドショー表示が選択されたとき、
前記保存メモリに保存されている画像データを読み出すステップと、読み出された画像データに対応付けて保存されている撮影情報を前記保存メモリから読み出すステップと、読み出した撮影情報を基に再生画像の動きを決定するステップと、前記読み出した画像を再生し前記決定された動きに従って表示するステップと、
を備えたことを特徴とするスライドショー表示方法。
【請求項３】
保存メモリに撮影情報とともに保存されている画像データを再生し、外部表示装置に表示させるスライドショー表示方法であって、
前記保存メモリに保存されている画像データを読み出すステップと、前記画像データに対応付けられて前記保存メモリに保存されている撮影情報を読み出すステップと、読み出した撮影情報を基に再生画像の動きを決定するステップと、前記読み出した画像データから画像を再生し、前記決定された動きに従って外部表示装置に出力するステップと、
を備えたことを特徴とするスライドショー表示方法。
【請求項４】
前記動きは、１枚の元となる静止画像に対し、パン、チルト、ズーム、などの視覚的な変化を与える処理であることを特徴とする請求項１乃至３のいずれか１項に記載のスライドショー表示方法。
【請求項５】
前記撮影情報は複数の合焦位置のうち主要な被写体との合焦位置情報及び該主要な被写体との距離情報であることを特徴とする請求項１乃至３のいずれか１項に記載のスライドショー表示方法。
【請求項６】
前記再生画像の動きを決定するステップは、前記被写体との距離情報を基に再生画像が近景か遠景かを調べ、遠景の場合はパン動作を行うように再生画像の動きを決定するステップと、前記合焦位置情報を基に再生画像のズーム表示方向を決定するステップと、を含むことを特徴とする請求項５記載のスライドショー表示方法。
【請求項７】
前記撮影情報は、撮影条件設定の集合セットであることを特徴とする請求項１乃至３のいずれか１乃至３のいずれか１項に項に記載のスライドショー表示方法。
【請求項８】
前記再生画像の動きを決定するステップは、撮影条件設定の集合セット毎に設定された動き情報を元に再生画像の動きを決定するステップを含む、ことを特徴とする請求項７記載のスライドショー表示方法。
【請求項９】
保存メモリに保存されている画像データを再生し、再生された画像を表示する画像表示装置において、
撮影画像の画像データと該撮影画像に対応付けられた撮影情報を保存している保存メモリと、
前記保存メモリから画像データ及び該影画像データに対応付けられた撮影情報を前記保存メモリから読み出すデータ読み出し制御手段と、
読み出した撮影情報に基づいて前記再生画像の動きを決定する動き決定手段と、
前記画像データを再生し前記動き決定手段により決定された動きに従って表示する表示制御手段と、
を備えたことを特徴とする画像表示装置。
【請求項１０】
前記撮影情報は複数の合焦位置のうち主要な被写体との合焦位置情報及び該主要な被写体との距離情報であり、前記動き決定手段は前記被写体との距離情報を基に再生画像が近景か遠景かを調べ、遠景の場合はパン動作を行うように再生画像の動きを決定する手段と、前記合焦位置情報を基に再生画像のズーム表示方向を決定する手段と、を含むことを特徴とする請求項９記載の画像表示装置。
【請求項１１】
前記撮影情報は、撮影条件設定の集合セットであり、前記動き決定手段は撮影条件設定の集合セット毎に設定された動き情報を元に再生画像の動きを決定する手段を含む、ことを特徴とする請求項９記載の画像表示装置。
【請求項１２】
被写体を撮影してその画像データを生成する撮像手段と、生成した画像データを保存する保存メモリと、前記保存メモリに保存されている画像データを再生して表示する画像再生モードを備えた撮像装置において、
画像再生モードにおいてスライドショー表示が選択されたとき、
前記撮像手段による撮影時に撮影画像の撮影情報を取得する撮影情報取得手段と、
前記撮影画像の画像データと該画像データと前記撮影情報を対応付けて前記保存メモリに保存する保存制御手段と、
前記保存メモリから画像データ及び該影画像データに対応付けられた撮影情報を前記保存メモリから読み出すデータ読み出し制御手段と、
読み出した撮影情報に基づいて前記再生画像の動きを決定する動き決定手段と、
前記画像データを再生し前記動き決定手段により決定された動きに従って表示する表示制御手段と、
を備えたことを特徴とする撮像装置。
【請求項１３】
前記撮影情報は複数の合焦位置のうち主要な被写体との合焦位置情報及び該主要な被写体との距離情報であり、前記動き決定手段は前記被写体との距離情報を基に再生画像が近景か遠景かを調べ、遠景の場合はパン動作を行うように再生画像の動きを決定する手段と、前記合焦位置情報を基に再生画像のズーム表示方向を決定する手段と、を含むことを特徴とする請求項１２記載の撮像装置。
【請求項１４】
前記撮影情報は、撮影条件設定の集合セットであり、前記動き決定手段は撮影条件設定の集合セット毎に設定された動き情報を元に再生画像の動きを決定する手段を含む、ことを特徴とする請求項１２記載の撮像装置。
【請求項１５】
保存メモリに保存されている画像データを再生し、外部表示装置に表示させる画像再生装置において、
画像データと該画像データに対応付けられた撮影情報を保存している保存メモリと、
前記保存メモリから画像データ及び該影画像データに対応付けられた撮影情報を前記保存メモリから読み出すデータ読み出し制御手段と、
読み出した撮影情報に基づいて前記再生画像の動きを決定する動き決定手段と、
前記画像データを再生し前記動き決定手段により決定された動きに従って外部表示装置に出力する手段と、
を備えたことを特徴とする画像表示装置。
【請求項１６】
前記撮影情報は複数の合焦位置のうち主要な被写体との合焦位置情報及び該主要な被写体との距離情報であり、前記動き決定手段は前記被写体との距離情報を基に再生画像が近景か遠景かを調べ、遠景の場合はパン動作を行うように再生画像の動きを決定する手段と、前記合焦位置情報を基に再生画像のズーム表示方向を決定する手段と、を含むことを特徴とする請求項１５記載の画像再生装置。
【請求項１７】
前記撮影情報は、撮影条件設定の集合セットであり、前記動き決定手段は撮影条件設定の集合セット毎に設定された動き情報を元に再生画像の動きを決定する手段を含む、ことを特徴とする請求項１５記載の画像再生装置。
【請求項１８】
保存メモリに撮影情報と共に保存されている画像データを再生し、再生した画像を表示する画像表示装置において実行可能なプログラムであって、
保存メモリに保存されている画像データを読み出させるプログラムステップと、
前記画像データに対応付けられて前記保存メモリに保存されている撮影情報を読み出させるプログラムステップと、
読み出した撮影情報を基に再生画像にパン、チルト、ズームなどの視覚的な変化を与える処理を決定させるステップと、
読み出した画像データを再生し、前記決定された処理に従って表示させるプログラムステップと、
を備えたことを特徴とするプログラム。
【請求項１９】
被写体を撮影してその画像データを生成し、生成した画像データを保存メモリに保存する撮影モードと、前記保存メモリに保存されている画像データを再生して表示する画像再生モードを備えた撮像装置において実行可能なプログラムであって、
撮影モードで、
画像の撮影時に当該画像の撮影情報を取得させるプログラムステップと、
撮影した画像の画像データを保存メモリに保存させるプログラムステップと、
前記撮影情報を前記画像データに対応付けて保存メモリに保存させるプログラムステップと、
画像再生モードにおいてスライドショー表示が選択されたか否かを判定させるプログラムステップと、
スライドショー表示が選択されたとき、
保存メモリに保存されている画像データを読み出させるプログラムステップと、
前記読み出した画像データに対応付けられて前記保存メモリに保存されている撮影情報を読み出させるプログラムステップと、
読み出した撮影情報を基に再生画像にパン、チルト、ズームなどの視覚的な変化を与える処理を決定させるステップと、
読み出した画像データを再生し、前記決定された処理に従って表示させるプログラムステップと、
を備えたことを特徴とするプログラム。
【請求項２０】
保存メモリに撮影情報と共に保存されている画像データを再生し、再生した画像を外部表示装置に表示させる画像再生装置おいて実行可能なプログラムであって、
保存メモリに保存されている画像データを読み出させるプログラムステップと、
前記画像データに対応付けられて前記保存メモリに保存されている撮影情報を読み出させるプログラムステップと、
読み出した撮影情報を基に再生画像にパン、チルト、ズームなどの視覚的な変化を与える処理を決定させるステップと、
読み出した画像データを再生し、前記決定された処理に従って外部表示装置に表示させるプログラムステップと、
を備えたことを特徴とするプログラム。
【発明の詳細な説明】
【技術分野】
【０００１】
本発明は画像の撮影情報を利用したスライドショー表示技術に関する。
【背景技術】
【０００２】
パソコンやデジタルカメラ等の画像表示装置で静止画に動きや音楽や切り替え効果を与え、画面上で静止画を見るスライドショー表示機能がある。スライドショー表示機能の一利用形態として、パソコンやデジタルカメラの電源が入っているときに所定時間以上操作がなされない場合に画面焼け防止のためにスクリーンセーバモードに移行して静止画を行うスクリーンセーバがよく知られている（例えば、特許文献１参照）。
【０００３】
従来技術のスライドショーにおいては、動き、音楽、切り替え効果の選択方法として、（１）被写体に無関係な、決められた、「動き」、「音楽」、「切り替え効果」を使う方法（例えば特許文献２参照）、又は（２）利用者が被写体に合った、「動き」、「音楽」、「切り替え効果」を指定する方法（例えば特許文献３参照）、がある。なお、「動き」とは、図１９に示すズームイン動作や図７に示すパン動作などである。
【特許文献１】特開平１１−３１３２２９号公報
【特許文献２】特開２００４−６４３９６号公報
【特許文献３】特開２００４−９５０１９号公報
【発明の開示】
【発明が解決しようとする課題】
【０００４】
しかしながら、上記（１）の選択方法では被写体に無関係に決められた、「動き」、「音楽」、「切り替え効果」を使用するので、被写体と「動き」、「音楽」、「切り替え効果」が一致しない場合、例えば、重要でない部分へズームインする、といった課題があった。
具体例として、図１９に示すズームインの例では単純にズームインすると中心部分をズームインするので図１９（ａ）に示すように主要な被写体Ａが中心部分に写っている場合はよいが、図１９（ｂ）に示すように主要な被写体Ａが中心にない場合はズームイン部分が主要な被写体Ａから外れてしまうといった課題があった。
【０００５】
また、上記（２）の選択方法では、「動き」、「音楽」、「切り替え効果」をユーザが一つ一つ選択するので上記（１）の選択方法のように被写体と「動き」、「音楽」、「切り替え効果」が一致しないといった問題は生じないが、「動き」、「音楽」、「切り替え効果」をユーザに強いるといった点で利便性が低いといった課題があった。
本発明は、上記課題を解決するためになされたものであり、画像の撮影情報からスライドショー表示の際の「動き」を自動的に決定しうるスライドショー表示方法、画像表示装置、撮像装置、画像再生装置、及びプログラムを提供することを目的とする。
【課題を解決するための手段】
【０００６】
上記課題を解決するために、請求項１に記載の発明では、保存メモリに保存されている画像データを再生し、再生された画像を表示する画像表示装置におけるスライドショー表示方法であって、保存メモリに保存されている画像データを読み出すステップと、画像データに対応付けられて保存メモリに保存されている撮影情報を読み出すステップと、読み出した撮影情報を基に再生画像の動きを決定するステップと、読み出した画像データから画像を再生して決定された動きに従って表示するステップと、を備えたことを特徴とするスライドショー表示方法を提供する。
これにより、画像表示装置は保存メモリに保存されている画像の動きをその画像の撮影情報をもとに自動的に決定して再生するので、被写体に合った動きの再生画像を表示できる。また、自動的に「動き」を決定するのでユーザが「動き」を一つ一つ選択して設定しておく必要がなく利便性が高い。
【０００７】
また、請求項２に記載の発明では、被写体を撮影してその画像データを生成し、生成した画像データを保存メモリに保存する撮影モードと、保存メモリに保存されている画像データを再生して表示する画像再生モードを備えた撮像装置におけるスライドショー表示方法であって、撮影モードで、撮影した画像の撮影情報を得るステップと、撮影により得た画像データを保存メモリに保存するステップと、撮影情報を画像データに対応付けて保存メモリに保存するステップと、画像再生モードにおいてスライドショー表示が選択されたとき、保存メモリに保存されている画像データを読み出すステップと、読み出された画像データに対応付けて保存されている撮影情報を保存メモリから読み出すステップと、読み出した撮影情報を基に再生画像の動きを決定するステップと、読み出した画像を再生して決定された動きに従って表示するステップと、を備えたことを特徴とするスライドショー表示方法を提供する。
これにより、撮像装置は撮影時に撮影画像の撮影情報を取得して保存メモリに画像と対応付けて保存し、画像再生時に、保存メモリに保存されている画像の動きをその画像の撮影情報をもとに自動的に決定して再生することができる。つまり、撮影時に取得した撮影情報を元に自動的に「動き」を決定するのでユーザが「動き」を一つ一つ選択して設定しておく必要がなく利便性が高い。
【０００８】
また、請求項３に記載の発明では、保存メモリに撮影情報とともに保存されている画像データを再生し、外部表示装置に表示させるスライドショー表示方法であって、前記保存メモリに保存されている画像データを読み出すステップと、前記画像データに対応付けられて前記保存メモリに保存されている撮影情報を読み出すステップと、読み出した撮影情報を基に再生画像の動きを決定するステップと、前記読み出した画像データから画像を再生し、前記決定された動きに従って外部表示装置に出力するステップと、を備えたことを特徴とするスライドショー表示方法を提供する。
これにより、画像再生装置は保存メモリに保存されている画像の動きをその画像の撮影情報をもとに自動的に決定して再生し、決定された動きに従って外部表示装置に出力するので、外部表示装置側では被写体に合った動きの再生画像を表示できる。また、画像再生装置で自動的に「動き」を決定するのでユーザが「動き」を一つ一つ選択して設定しておく必要がなく利便性が高い。
【０００９】
また、請求項４に記載の発明では、動きは、１枚の元となる静止画像に対し、パン、チルト、ズームなどの視覚的な変化を与える処理であることを特徴とする請求項１乃至３のいずれか１項に記載のスライドショー表示方法を提供する。
パン動作により遠景や風景全体を見回すように再生画像が表示され、チルト動作により夕日のような上から下への動き、花火等のような下から上への動きを表現され、ズームイン動作により主要な被写体に焦点を合わすように再生画像がズームされる。
【００１０】
また、請求項５に記載の発明では、撮影情報は複数の合焦位置のうち主要な被写体との合焦位置情報及び該主要な被写体との距離情報であることを特徴とする請求項１乃至３のいずれか１項に記載のスライドショー表示方法を提供する。
これにより、画像の動きを合焦位置及び被写体距離に基づいて決定するので、遠景の被写体には景色全体を見回すような動作で再生画像が表示され、近景左側の被写体には主要な被写体に焦点にあてるような動作を決定することができる。
【００１１】
また、請求項６に記載の発明では、再生画像の動きを決定するステップは、被写体との距離情報を基に再生画像が近景か遠景かを調べ、遠景の場合はパン動作を行うように再生画像の動きを決定するステップと、合焦位置情報を基に再生画像のズーム表示方向を決定するステップと、を含むことを特徴とする請求項５記載のスライドショー表示方法を提供する。
これにより、遠景の被写体にはパン動作により遠景全体を見回すように再生画像が表示され、近景の被写体にはズームイン動作により主要な被写体に焦点を合わすように再生画像がズームされるので、ユーザは静止画像であってもあたかも動画をみているかのような動きと臨場感を得ることができる。
【００１２】
また、請求項７に記載の発明では、撮影情報は、撮影条件設定の集合セットであることを特徴とする請求項１乃至３のいずれか１乃至３のいずれか１項に項に記載のスライドショー表示方法を提供する。
これにより、ベストショットモードで撮影された画像の動きを撮影条件セットに対応させた動きで制御することが可能となる。
【００１３】
また、請求項８に記載の発明では、再生画像の動きを決定するステップは、撮影条件設定の集合セット毎に設定された動き情報を元に再生画像の動きを決定するステップを含む、ことを特徴とする請求項７記載のスライドショー表示方法を提供する。
これにより、ベストショットモードで撮影された画像は撮影条件セットに対応してスライドショーの動きが制御されるので、被写体に最適なスライドショー表示を行うことができる。
【００１４】
また、請求項９に記載の発明では、保存メモリに保存されている画像データを再生し、再生された画像を表示する画像表示装置において、撮影画像の画像データと該撮影画像に対応付けられた撮影情報を保存している保存メモリと、保存メモリから画像データ及び該影画像データに対応付けられた撮影情報を保存メモリから読み出すデータ読み出し制御手段と、読み出した撮影情報に基づいて再生画像の動きを決定する動き決定手段と、画像データを再生して動き決定手段により決定された動きに従って表示する表示制御手段と、を備えたことを特徴とする画像表示装置を提供する。
これにより、画像表示装置は保存メモリに保存されている画像の動きをその画像の撮影情報をもとに自動的に決定して再生するので、被写体に合った動きの再生画像を表示できる。また、自動的に「動き」を決定するのでユーザが「動き」を一つ一つ選択して設定しておく必要がなく利便性が高い。
【００１５】
また、請求項１０に記載の発明では、撮影情報は複数の合焦位置のうち主要な被写体との合焦位置情報及び該主要な被写体との距離情報であり、動き決定手段は被写体との距離情報を基に再生画像が近景か遠景かを調べ、遠景の場合はパン動作を行うように再生画像の動きを決定する手段と、合焦位置情報を基に再生画像のズーム表示方向を決定する手段と、を含むことを特徴とする請求項９記載の画像表示装置を提供する。
これにより、遠景の被写体にはパン動作により遠景全体を見回すように再生画像が表示され、近景の被写体にはズームイン動作により主要な被写体に焦点を合わすように再生画像がズームされるので、ユーザは静止画像であってもあたかも動画をみているかのような動きと臨場感を得ることができる。
【００１６】
また、請求項１１に記載の発明では、撮影情報は、撮影条件設定の集合セットであり、前記動き決定手段は撮影条件設定の集合セット毎に設定された動き情報を元に再生画像の動きを決定する手段を含む、ことを特徴とする請求項９記載の画像表示装置を提供する。
これにより、画像表示装置に保存されていう画像のうち、ベストショットモードで撮影された画像は撮影条件セットに対応してスライドショーの動きが制御できるので、被写体に最適なスライドショー表示を行うことができる。
【００１７】
また、請求項１２に記載の発明では、被写体を撮影してその画像データを生成する撮像手段と、生成した画像データを保存する保存メモリと、保存メモリに保存されている画像データを再生して表示する画像再生モードを備えた撮像装置において、画像再生モードにおいてスライドショー表示が選択されたとき、撮像手段による撮影時に撮影画像の撮影情報を取得する撮影情報取得手段と、撮影画像の画像データと該画像データと撮影情報を対応付けて保存メモリに保存する保存制御手段と、保存メモリから画像データ及び該影画像データに対応付けられた撮影情報を保存メモリから読み出すデータ読み出し制御手段と、読み出した撮影情報に基づいて再生画像の動きを決定する動き決定手段と、画像データを再生して動き決定手段により決定された動きに従って表示する表示制御手段と、を備えたことを特徴とする撮像装置を提供する。
これにより、撮像装置は撮影時に撮影画像の撮影情報を取得して保存メモリに画像と対応付けて保存し、画像再生時に、保存メモリに保存されている画像の動きをその画像の撮影情報をもとに自動的に決定して再生することができる。つまり、撮影時に取得した撮影情報を元に自動的に「動き」を決定するのでユーザが「動き」を一つ一つ選択して設定しておく必要がなく利便性が高い。
【００１８】
また、請求項１３に記載の発明では、撮影情報は複数の合焦位置のうち主要な被写体との合焦位置情報及び該主要な被写体との距離情報であり、動き決定手段は被写体との距離情報を基に再生画像が近景か遠景かを調べ、遠景の場合はパン動作を行うように再生画像の動きを決定する手段と、合焦位置情報を基に再生画像のズーム表示方向を決定する手段と、を含むことを特徴とする請求項１２記載の画像表示装置を提供する。
これにより、遠景の被写体にはパン動作により遠景全体を見回すように再生画像が表示され、近景の被写体にはズームイン動作により主要な被写体に焦点を合わすように再生画像がズームされるので、ユーザは静止画像であってもあたかも動画をみているかのような動きと臨場感を得ることができる。
【００１９】
また、請求項１４に記載の発明では、撮影情報は、撮影条件設定の集合セットであり、前記動き決定手段は撮影条件設定の集合セット毎に設定された動き情報を元に再生画像の動きを決定する手段を含む、ことを特徴とする請求項１２記載の撮像装置を提供する。
これにより、撮像装置でベストショットモードで撮影された画像は、撮影条件セットに対応してスライドショーの動きを制御できるので、被写体に最適なスライドショー表示を行うことができる。
【００２０】
また、請求項１５に記載の発明では、保存メモリに保存されている画像データを再生し、外部表示装置に表示させる画像再生装置において、画像データと該画像データに対応付けられた撮影情報を保存している保存メモリと、前記保存メモリから画像データ及び該影画像データに対応付けられた撮影情報を前記保存メモリから読み出すデータ読み出し制御手段と、読み出した撮影情報に基づいて前記再生画像の動きを決定する動き決定手段と、前記画像データを再生し前記動き決定手段により決定された動きに従って外部表示装置に出力する手段と、を備えたことを特徴とする画像表示装置を提供する。
これにより、画像再生装置は保存メモリに保存されている画像の動きをその画像の撮影情報をもとに自動的に決定して再生し、決定された動きに従って外部表示装置に出力するので、外部表示装置側では被写体に合った動きの再生画像を表示できる。また、画像再生装置で自動的に「動き」を決定するのでユーザが「動き」を一つ一つ選択して設定しておく必要がなく利便性が高い。
【００２１】
また、請求項１６に記載の発明では、前記撮影情報は複数の合焦位置のうち主要な被写体との合焦位置情報及び該主要な被写体との距離情報であり、前記動き決定手段は前記被写体との距離情報を基に再生画像が近景か遠景かを調べ、遠景の場合はパン動作を行うように再生画像の動きを決定する手段と、前記合焦位置情報を基に再生画像のズーム表示方向を決定する手段と、を含むことを特徴とする請求項１５記載の画像再生装置を提供する。
これにより、外部表示装置において、遠景の被写体にはパン動作により遠景全体を見回すように再生画像が表示され、近景の被写体にはズームイン動作により主要な被写体に焦点を合わすように再生画像がズームされるので、ユーザは静止画像であってもあたかも動画をみているかのような動きと臨場感を得ることができる。
【００２２】
また、請求項１７に記載の発明では、撮影情報は、撮影条件設定の集合セットであり、前記動き決定手段は撮影条件設定の集合セット毎に設定された動き情報を元に再生画像の動きを決定する手段を含む、ことを特徴とする請求項９記載の画像再生装置を提供する。
これにより、画像再生装置に保存されている画像のうち、ベストショットモードで撮影された画像は撮影条件セットに対応してスライドショーの動きが制御されるので、被写体に最適なスライドショー表示を行うことができる。
【００２３】
また、請求項１８に記載の発明では、保存メモリに保存されている画像データを再生し、再生した画像を表示する画像表示装置において実行可能なプログラムであって、保存メモリに保存されている画像データを読み出させるプログラムステップと、画像データに対応付けられて保存メモリに保存されている撮影情報を読み出させるプログラムステップと、読み出した撮影情報を基に再生画像にパン、チルト、ズームなどの視覚的な変化を与える処理を決定させるステップと、読み出した画像データを再生させ決定された処理に従って表示させるプログラムステップと、を備えたことを特徴とするプログラムを提供する。
これにより、画像表示装置は保存メモリに保存されている画像の動きをその画像の撮影情報をもとに自動的に決定して再生できる。
【００２４】
また、請求項１９に記載の発明では、被写体を撮影してその画像データを生成し、生成した画像データを保存メモリに保存する撮影モードと、保存メモリに保存されている画像データを再生して表示する画像再生モードを備えた撮像装置いて実行可能なプログラムであって、撮影モードで、画像の撮影時に当該画像の撮影情報を取得させるプログラムステップと、撮影した画像の画像データを保存メモリに保存させるプログラムステップと、撮影情報を画像データに対応付けて保存メモリに保存させるプログラムステップと、画像再生モードにおいてスライドショー表示が選択されたか否かを判定させるプログラムステップと、スライドショー表示が選択されたとき、保存メモリに保存されている画像データを読み出させるプログラムステップと、読み出した画像データに対応付けられて保存メモリに保存されている撮影情報を読み出させるプログラムステップと、読み出した撮影情報を基に再生画像にパン、チルト、ズームなどの視覚的な変化を与える処理を決定させるステップと、読み出した画像データを再生させ決定された処理に従って表示させるプログラムステップと、を備えたことを特徴とするプログラムを提供する。  
これにより、撮像装置は撮影時に撮影画像の撮影情報を取得して保存メモリに画像と対応付けて保存し、画像再生時に、保存メモリに保存されている画像の動きをその画像の撮影情報をもとに自動的に決定して再生できる。
【００２５】
また、請求項２０に記載の発明では、保存メモリに撮影情報と共に保存されている画像データを再生し、再生した画像を外部表示装置に表示させる画像再生装置おいて実行可能なプログラムであって、保存メモリに保存されている画像データを読み出させるプログラムステップと、前記画像データに対応付けられて前記保存メモリに保存されている撮影情報を読み出させるプログラムステップと、読み出した撮影情報を基に再生画像にパン、チルト、ズームなどの視覚的な変化を与える処理決定させるステップと、読み出した画像データを再生し、前記決定された処理に従って外部表示装置に表示させるプログラムステップと、を備えたことを特徴とするプログラムを提供する。
これにより、画像再生装置は、保存メモリに保存されている画像の動きをその画像の撮影情報をもとに自動的に決定して再生し、外部表示装置に決定された動きに従って表示させることができる。
【発明の効果】
【００２６】
本発明によれば、撮像情報に基づいて自動的に被写体に合った動きを決定し、再生画像を決定された動きに従って表示することができるので、被写体の最適な動きをスライドショーできる。また、自動的に動きを決定するのでユーザが動きを一つ一つ選択して設定しておく必要がなく利便性が高い。
【発明を実施するための最良の形態】
【００２７】
（実施形態１）
＜１−１．デジタルカメラの構成＞
図１は本発明のスライドショー表示方法を実施可能なデジタルカメラの内部構成例を示すブロック図である。本実施形態では図３に示す３フォーカスＡＦ（Automatic Focus：オートフォーカス）によるＡＦ情報やベストショットモードを撮影情報として用いるが、ＡＦ情報のマルチフォーカスエリアの数は３に限定されない。また、撮影情報はＡＦ情報やベストショットモードに限定されない。例えば、ズーム倍率、静止画／動画の別等を撮影情報として用いることができる。なお、本実施例ではＡＦ情報は図２に示す合焦位置（ＡＦ１〜ＡＦ３）と被写体距離からなる。
【００２８】
ここで、ベストショットモードとは、風景、夕日、花火、人物、・・等のサンプルを表示し、各サンプルに最適撮影条件（例えば、シャッタースピード、露出、ホワイトバランス等・・）をセットとして対応付けユーザがサンプルを選択すると対応する最適撮影条件を撮影条件として自動設定して撮影できるというものである。つまり、ベストショットモードは撮影条件設定の集合セットである。
撮影条件セットとしては、例えば、下記（１）〜）３）のようなものがあるがこれらの例に限定されない。メーカーにより予め設定されるが、ユーザが設定することも可能である。下記で、ＡＦはオートフォーカス、ＷＢはホワイトバランスの略である。
（１）風景：ＡＦ＝∞、フラッシュ＝ｏｆｆ、ＷＢ＝太陽光、色強調＝青、彩度＝高
（２）夕日：ＡＦ＝∞、フラッシュ＝ｏｆｆ、ＷＢ＝太陽光、色強調＝赤、彩度＝高
（３）人物：ＡＦ＝オート、フラッシュ＝オート、ＷＢ＝太陽光、色強調＝肌色、彩度＝普通
【００２９】
図１で、デジタルカメラ１００は光学系１１、信号変換部１２、信号処理部１３、ＤＲＡＭ１４、制御部２０、操作部３０、表示部４０、記録部５０、画像カウンタ６１、再生カウンタ６２、及び電源９０を有している。
【００３０】
光学系１１は、撮像レンズ１１１、自動露出機構１１３、及びＡＦ装置１１４を含み、撮像レンズ１１１を介して集光された被写体像の光束を後段の撮像素子（ＣＣＤ）上に結像させる。カメラ視野内の複数の合焦位置（マルチフォーカスエリア）が仮の合焦位置として設定されており、撮影待機時に複数の合焦位置のうち主要な被写体に合焦している合焦位置がある場合にユーザが自動合焦開始指示（本実施例ではシャッターボタン３６の半押）があるとＡＦ装置１１４はＡＦ情報（その合焦位置の位置情報及びその被写体との距離）を取得し撮影指示（本実施例ではシャッターボタン３６の全押し）があるとＡＦ情報を制御部２０に送出する。
【００３１】
信号変換部１２は、Ａ／Ｄ変換器等の信号変換回路等（図示せず）を含み、前段の光学系１１を介して結像した画像をＣＣＤなどの撮像素子によって電気信号に変換し、その電気信号をデジタルデータに変換して一定の周期で出力する。
【００３２】
信号処理部１３は、信号変換部１２からのデジタルデータを受けてＣＣＤの画素に対応したベイヤーベースの形で一旦保持し、それを補間してＲＧＢデータを作成し、更に、輝度、色差マルチプレクス信号（Ｙ，Ｃｂ，Ｃｒデータ）等の信号成分を得る。そのＹ，Ｃｂ，Ｃｒデータ（以下、画像データ）をＤＲＡＭ１４に転送し、一時的に記憶する。また、スルー画像（撮影待機画像）を表示するために、取込んだ画像データを間引いて表示部４０に送る。また、シャッター操作がされるとその時点の画像データを表示部４０に送って静止画表示させる。
【００３３】
また、信号処理部１３は、記録保存の際にはＤＲＡＭ１４に書き込まれている画像データを読み出して、ＪＰＥＧ圧縮処理を施して記録部５０のメモリーカード５１（図２）等の保存メモリに保存記録し、再生時にはメモリーカード５１に記録されている圧縮画像データに伸張処理を施して画像データを再生する圧縮伸張部と、サムネイル画像（縮小画像）を生成するサムネイル画像生成部を備えている。
また、上記圧縮伸張部は複数の圧縮率に対応しており、圧縮率に対応させて記憶するモードは圧縮率の低い高解像度（一般に、高精密、ファイン、ノーマルなどと呼ばれる）に対応するモードと圧縮率の高い低解像度（一般にエコノミーなどと呼ばれる）モードがある。
また、高画素数から低画素数にも対応している。例えば、ＳＸＧＡ（１６００×１２００）、ＸＧＡ（１０２４×７８６）、ＳＶＧＡ（８００×６００）、ＶＧＡ（６４０×４８０）等と呼ばれる画像サイズがある。
【００３４】
ＤＲＡＭ１４は作業用メモリとして用いられ、撮像された静止画像を一時的に記憶する画像バッファ領域やＪＰＥＧ圧縮／伸張時や画像合成時の作業用領域等が確保されている。
【００３５】
制御部２０は、ＣＰＵ、ＲＡＭ、プログラム格納用ＲＯＭおよびタイマー等の計時機構を備えたマイクロプロセッサ構成を有しており、ＣＰＵは、上述の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の動作プログラムを取り出して、デジタルカメラ１００の各機能の実行制御、例えば、撮影条件や撮影情報の取得、記録等を行う。
【００３６】
操作部３０は、モード切替スイッチ３１、液晶モニタスイッチ、ズームキー、メニューキー、カーソルキー、シャッターボタン３６、及びスライドショーボタン３８等のキーやスイッチを構成部分としており、これらのキーやスイッチが操作されると状態信号や設定値が制御部２０に送出される。
【００３７】
表示部４０はビデオエンコーダ（デジタル入出力表示部の場合は不要）、ＶＲＡＭ（図示せず）および液晶モニタ画面（ＬＣＤ）等から構成されており、制御部２０の表示制御により、撮像時のスルー画像の表示、再生時の再生画像の表示、処理選択時の選択用メニュー（或いはアイコン）の表示、スライドショー表示等を行なう。  
【００３８】
記録部５０は制御部２０の制御下でメモリーカード等の着脱自在な保存メモリにアクセスしてデータの書き込み／読み出しを行い、画像データ（圧縮画像データ）と画像データに関連付けられた撮影条件を保存記録する画像データに関連付けて記録する。また、画像の撮影モード等を登録する画像情報リスト（図示せず）等を記録することができる。なお、メモリーカードに代えてフラッシュメモリのような内蔵メモリを用いるようにしてもよい。
【００３９】
図２はメモリーカード５１の記憶領域構成の一実施例を示す図であり、メモリーカード５１には、図２に示すように、管理領域５１−０と、静止画や動画の各画像の圧縮画像データ（画像ファイル）をそれぞれ記録する画像データ記録領域５１−１、縮小画像記憶領域５１−２、撮影情報を記録する撮影情報記憶領域５１−３等が設けられている。また、楽曲データや音声データを記録する音声データ記録領域を設けるようにしてもよい。なお、画像データ記録領域５１−１の代わりに静止画データを記憶する領域と動画を記憶する領域を別々に確保するようにしてもよい。
【００４０】
管理領域５１−０にはメモリーカード５１に記録された各種画像の情報を登録した画像管理ファイルや、本発明のカレンダ表示用の動画情報を記録した動画管理ファイル等が格納されている。
【００４１】
＜１−２．マルチフォーカスエリア＞
図３はマルチフォーカスエリアの説明図であり、フォーカスエリアの数を長方形の枠線で示されているＡＦ１、ＡＦ２、ＡＦ３とした例である。図示の例ではエリアの配列を横一列としたが、縦方向に列をなしていてもよく、或いは十字形配列等でもよい。図示の例では主要な被写体Ａは合焦位置ＡＦ３にあるので、このとき撮影指示（シャッターボタン３６の全押し）があるとＡＦ装置１１４は撮影情報として合焦位置ＡＦ３の位置情報及び主要な被写体Ａとの距離情報を取得し、制御部２０に送出する。
＜１−３．画像の動き＞
【００４２】
デジタルカメラ１００等の撮像装置によって撮影され、メモリーカード５１に記録された画像データはスライドショーボタン３８が押されることにより再生され、撮影時に得られたＡＦ情報やベストショットモードのサンプルパターンの識別情報等の撮影情報から適切な画像の動きを判断してスライドショー表示される。
なお、本明細書で、画像の動きとは、１枚の元となる静止画像に対し、パン、チルト（tilt：傾ける）ズーム、などの視覚的な変化を与える処理を意味する。
以下、デジタルカメラ１００の撮影時の動作例について図４のフローチャートで、スライドショー表示モード時の動作例について図５のフローチャートで説明する。また、動きの決定動作について図６及び図１１のフローチャートで説明し、このときの動き、パン動作、ズームイン左動作、ズームイン中央動作、ズームイン右動作の例を図７〜１０に、パン動作及びチルト動作の例を図１３及び図１４に示す。なお、図中の矢印は動きの方向を示す。
【００４３】
＜１−４．撮影モード時のデジタルカメラの制御動作＞
図４は、撮影モード時の動作プログラムによるデジタルカメラの制御部の制御動作例を示すフローチャート（本発明と直接関係しない部分は省略した概略フローチャート）である。以下、図１〜図３を基に説明する。
撮影モードで、制御部２０は撮影モードがベストショットモードか否かを調べ、ベストショットモードの場合にはベストショットモードでの撮影処理（図示略）に進み、そうでない場合にはステップＳ１に進む（ステップＳ０）。
制御部２０は、光学系１１を制御して所定時間毎に被写体像を取り込み、信号変換部１２及び信号処理部１３により画像データに変換してＤＲＡＭ１４に一時記憶（上書き）し（ステップＳ１）、信号処理部１３を制御してスルー画像（撮影待機画像）を生成し、表示部４０に送ってスルー表示させる（ステップＳ２）。
【００４４】
制御部２０は、表示部４０に表示されているスルー画像上にマルチフォーカスエリアＡＦ１、ＡＦ２、ＡＦ３（図３）を重畳表示してユーザに自動合焦開始指示（この例ではシャッターボタン３６の半押し）を促し（ステップＳ３）、操作部３０からの信号を調べて自動合焦開始指示があった場合はステップＳ５に進み、そうでない場合はステップＳ１に戻る（ステップＳ４）。
自動合焦開始指示があると制御部２０はシャッターボタン３６をロックすると共にＡＦ装置１１４を制御して自動合焦を開始させる。ＡＦ装置１１４はユーザがカメラ操作を行って主要な被写体像がマルチフォーカスエリアＡＦ１、ＡＦ２、ＡＦ３のうちの一つに合うようにするとそのエリアに合焦するように動作し、合焦が終わるとシャッターボタン３６のロックを解除して撮影指示を可能とする（ステップＳ５）。
【００４５】
ユーザは所望のタイミングを捉えて撮影指示（実施例ではシャッターボタン３６の全押し）を行うので、制御部２０は操作部３０からの信号を調べ撮影指示がなされた場合は、ステップＳ７に進み、そうでない場合は撮影指示を待つ（ステップＳ６）。
【００４６】
撮影指示があった場合は、ＡＦ装置１１４から合焦した際のＡＦ情報（合焦位置及び主要な被写体との距離Ｘ）を取得してＤＲＡＭ１４に保持し（ステップＳ７）、撮影指示時点でＤＲＡＭ１４に記憶した画像データを取り出して静止画像を表示部４０に表示させる（ステップＳ８）。
【００４７】
次に、ユーザが記録指示操作を行ったか否かを調べ（ステップＳ９）、記録指示操作がなされた場合はＤＲＡＭ１４に一時記憶されている画像データを圧縮してメモリーカード５１の画像データ記憶領域５１−１に記録すると共に、ステップＳ６で取得したＡＦ情報及びその他の撮影情報を圧縮処理された画像データに関連付けてメモリーカード５１の撮影情報記憶領域５１−３に記録する（ステップＳ１０）。また、制御部２０は画像カウンタ６１に１を加える（ステップＳ１０）。
【００４８】
上記図４のフローチャートに示した動作によりデジタルカメラ１００は撮影時にスライドショー表示の際動きを規定する撮影情報（この例ではＡＦ情報（合焦位置及び被写体距離））を撮影画像に対応付けてメモリーカード５１等の保存メモリに記録することができる。
なお、スライドショー表示の際動きを規定する撮影情報はＡＦ情報に限定されず、ベストショットモード（最適撮影条件設定モード）、ズーム倍率、静止画／動画の別等を撮影時にスライドショー表示の際動きを規定する撮影情報として撮影画像に対応付けて保存メモリに記録するようにしてもよい。
例えば、ベストショットモードの場合は、図１２（ａ）に示すように、選択されたベストショットのサンプルパターンの識別情報（「風景」→Ｂ００１、「夕日」→Ｂ００２、・・・）を撮影情報とし、図１２（ｂ）に示すようにこれらの識別情報に動きを示す動作コード（Ｐ１、Ｃ１、・・・）を対応付けた動作テーブル１２０を予めメモリカード５１頭の保存メモリに記録しておき、撮影画像の保存時に撮影画像を動作テーブル１２０中の動きコードと対応付けてそれらを記録するように構成することができる。
また、楽曲や音声を撮影時或いは撮影後に撮影画像に対応付けて記録し、スライドショー表示の際動きを規定する撮影情報と共に撮影画像に対応付けて保存メモリに記録するようにしてもよい。
【００４９】
＜１−５．スライドショー表示モード時のデジタルカメラの制御動作＞
図５はスライドショー表示モード時の動作プログラムによるデジタルカメラの制御部の制御動作例を示すフローチャートである。以下、図１〜図３を基に説明する。
再生モードで制御部２０はスライドショーボタン３８が押されたか否かを調べ（ステップＴ１）、スライドショーボタン３８が押されると再生カウンタ６２に１をセットし（ステップＴ２）、メモリーカード５１からｉ（ｉ＝再生カウンタ６２の値）番目の画像データ（圧縮画像データ）を読み出してＤＲＡＭ１４に一時記憶する（ステップＴ３）。また、上記ステップＴ３で読み出した画像データに対応付けられているＡＦ情報をメモリーカードから読み出してＤＲＡＭ１４に保持（一時記憶）する（ステップＴ４）。
【００５０】
次に制御部２０は図６に示すような動き決定動作によりＡＦ情報に基づいて再生画像の動きを決定し（ステップＴ５）、ＤＲＡＭ１４に記憶した画像データを読み出して信号処理部１３を制御して伸張処理を施させ再生データを表示部４０に送って上記ステップＴ５で決定された動きに従って再生表示させる（ステップＴ６）。次に、再生カウンタ６２に１を加え（ステップＴ７）、再生カウンタ６２の値が画像カウンタ６１の値より大きくなるまでステップＴ３〜Ｔ７の動作を繰り返す（ステップＴ８）。
【００５１】
上記図５に示したフローチャートの動作によりデジタルカメラ１００はＡＦ情報やベストショットモード等の撮影情報に基づいて決定された動き（例えば、パン動作、ズームイン動作、チルト動作）に従って再生画像を表示することができる。
つまり、ステップＴ５（図６に示す画像の動作決定アルゴリズム）で決定された動作により、ステップＴ６で、遠景の被写体にはパン動作により遠景全体を見回すように再生画像が表示され、近景左側の被写体にはズームイン左動作により左側に焦点を合わすように再生画像がズームされ、近景中央の被写体にはズームイン中央動作により中央に焦点を合わすように再生画像がズームされ、近景右側の被写体にはズームイン右動作により中央に焦点を合わすように再生画像がズームされるので、ユーザは静止画像であってもあたかも動画をみているかのような動きと臨場感を得ることができる。また、ベストショットモードで風景を撮影した画像は広がりのあるパノラマ感が横へのパン動作で表現され、夕日を撮影した画像はチルトダウン動作により画像を上方向から下方向に表示するので、日没時の上から下への動きや明るい空の比率を減らし夕暮れの進行が演出される。
また、楽曲や音声をスライドショー表示の際に動きと共に再生画像に対応付けて出力する場合には、例えば、上記ステップＴ６の前段に楽曲や音声の出力開始ステップを設け、ステップＴ６の後段に楽曲や音声の出力終了ステップを設けることにより、楽曲や音声出力を画像の動きに対応付けることができる。
なお、読み出して再生するデータは色々な選択方法がある。例えば、所定のフォルダ内の画像を所定の順序で表示しても良いし、個別に画像を指定しても良い。
【００５２】
上記図４及び図５のフローチャートの説明ではデジタルカメラ１００が画像カウンタ６１及び再生カウンタ６２を備えた例を元に説明したが、画像表示装置がデジタルカメラ等の撮像装置でない場合やデジタルカメラ等の撮像装置が画像カウンタ６１や再生カウンタ６２を備えていない場合には、例えば、撮像装置側で撮像モード開始時にＤＲＡＭ等の一時記憶メモリの所定エリアに画像カウンタを設定するように構成し、撮影時に図４のステップＳ１１で画像カウンタ値に１を加え、撮影終了時に保存メモリの所定領域に設定済みの撮影枚数カウント領域に画像カウンタ値を追加記録するようにし、画像再生装置側でスライドショー表示モード時に一時記憶メモリの所定エリアに再生カウンタを設定するように構成し、以下、図５のステップＴ３〜Ｔ７の動作後、ステップＴ８で再生カウンタの値と保存メモリ内の画像カウンタ値を比較するようにすることにより、デジタルカメラ１００と同様にスライドショー表示モードを実行することができる。
【００５３】
＜１−６．動作決定アルゴリズム（１）＞
図６は図５のステップＴ５（及び図１８のステップＶ５）の詳細な動作を示すフローチャートであり、スライドショー表示モード時の動き決定動作プログラムによる制御部の制御動作例を示すフローチャートである。また、図７〜図１０は画像の動きの説明図であり、図７はパン、図８はズームイン左、図９はズームイン中央、図１０はズームイン右への動きを示す図である。また、図中の矢印は動きの方向を示す。  
以下、図１、図３、図７〜図１０を基に説明する。なお、図６のステップ順を示す符号のうち括弧内のＶ５、Ｖ５−０〜Ｖ５−７、Ｖ６は後述する実施形態２の図１８のフローチャートのステップＶ５で本フローチャートを引用する場合に適用されるものである。
【００５４】
図６で、制御部２０は再生画像の元画像がベストショットモードで撮影された画像か否かを調べ、ベストショットモードで撮影された画像の場合はステップＴ５−１０（図１１のベストショット撮影画像の動き決定処理）に進み、そうでない場合はステップＴ５−１に進む。なお、再生画像の撮影モードがベストショットモードか否かはメモリーカード５１に保存されている撮影情報を参照する（例えば、対応するベストショットのサンプルパターンの識別情報の有無を調べる）ことにより判定できる（ステップＴ５−０）。
ベストショットモードで撮影された画像でない場合は、図５のステップＴ４又は図１８のステップＶ４で保持したＡＦ情報のうちの主要な被写体との距離Ｘ（被写体距離）を取り出して距離Ｘと所定値Ｋを比較し、距離Ｘ＞Ｋ（この例ではＫ＝１０ｍ）ならステップＴ５−２に進み距離Ｘ≦ＫならＴ５−３に進む（Ｔ５−１）。距離Ｘ＞Ｋの場合は画像の動きを表示画像を水平方向或いは垂直方向に移動するようにして動かすパン動作と決定してステップＴ６に進む。図７の例は画像を向かって左から右方向に動かすパン動作の例である（ステップＴ５−２）。
【００５５】
距離Ｘ≦Ｋのとき、制御部２０は図６のステップＴ４でＤＲＡＭ１４に保持したＡＦ情報のうちの合焦位置を調べ、合焦位置がＡＦ１のときはステップＴ５−４に進み、そうでない場合はステップＴ５−５に進む（ステップＴ５−３）。合焦位置がＡＦ１のときは画像の動きを図８に示すようにフォーカスエリアＡＦ１に焦点を合わせるよう左方向にズームインするズームイン左動作と決定してステップＴ６に進む（ステップＴ５−４）。
【００５６】
また、合焦位置がＡＦ２のときはステップＴ５−６に進み、そうでない場合はステップＴ５−７に進む（ステップＴ５−５）。合焦位置がＡＦ２のときは画像の動きを図９に示すようにフォーカスエリアＡＦ２に焦点を合わせるよう中心方向にズームインするズームイン中央動作と決定してステップＴ６に進む（ステップＴ５−６）。
【００５７】
合焦位置がＡＦ３のときは画像の動きを図１０に示すようにフォーカスエリアＡＦ３に焦点を合わせるよう右方向にズームインするズームイン右動作と決定してステップＴ６に進む（ステップＴ５−７）。
【００５８】
上記図６に示した画像の動作決定アルゴリズムにより、主要な被写体が遠景の被写体の場合にはパン動作、近景左側の被写体の場合にはズームイン左動作、近景中央の被写体の場合にはズームイン中央動作、近景右側の被写体の場合にはズームイン右動作を画像の「動作」として決定できる。
【００５９】
＜１−７．動作決定アルゴリズム（２）＞
図１１は、再生画像の元画像がベストショットモードで撮影された画像の場合における、図５のステップＴ５（及び図１８のステップＶ５）の詳細な動作を示すフローチャートであり、図６のステップＴ５−０（ステップＶ５−０）で、再生画像の元画像がベストショットモードで撮影された画像の場合のスライドショー表示モード時の動き決定動作プログラムによる制御部の制御動作例を示すフローチャートである。
また、図１２はベストショットモード時の動作テーブルの一例を示す図であり、図１２（ａ）はベストショットモードの各サンプルパターンとそれらに予め設定された動きの説明図であり、図１２（ｂ）は動作テーブルの一例を示す図である。図１３、図１４は画像の動きの説明図であり、図１３はパン、図１４はチルトアップの動きを示す図であり、図中矢印は動きの方向を示す。
以下、図１、図３、図１２〜図１４を基に説明する。なお、図１１のステップ順を示す符号のうち括弧内のＶ５−０、Ｖ５−１０〜Ｖ５−１２、Ｖ６は後述する実施形態２の図１８のフローチャートのステップＶ５で本フローチャートを引用する場合に適用されるものである。
【００６０】
図１１で、再生画像の元画像がベストショットモードで撮影された画像の場合は、画像に対応付けられてメモリーカード５１に記録されているベストショットモード時の動作テーブル１２０を参照し（ステップＴ５−１０）、パターンコードに対応する動きコードを取り出し（ステップＴ５−１１）、動きコードに対応付けられた動きをその画像の動きとして決定してステップＴ６に進む（ステップＴ５−１２）。
【００６１】
上記図１１のフローチャートに示した動作により、ベストショットモードで撮影された画像のパターンが「風景」の時はその画像は動作テーブル１２０のパターンコードＢ００１に対応付けられているので対応の動きコード「Ｐ１」が取り出され、動きコード「Ｐ１」の意味（図１２（ａ）参照）に従い、画像の動きを表示画像を水平方向或いは垂直方向に移動するようにして動かすパン動作と決定する。図１２の例は「風景」画像を向かって左から右方向に動かすパン動作の例であり、広がりのあるパノラマ感が横へのパン動作で表現できる。
画像のパターンが「夕日」の時はその画像は動作テーブル１２０のパターンコードＢ００２に対応付けられているので対応の動きコード「Ｃ１」が取り出され、動きコード「Ｃ１」の意味に従い、画像の動きを表示画像を垂直下方向に移動するようにして動かすチルトダウン動作と決定する。図１２の例は「夕日」画像を上方向から下方向に動かすチルトダウン動作の例であり、日没時の上から下への動きや明るい空の比率を減らし夕暮れの進行が演出できる。
画像のパターンが「花火」の時はその画像は動作テーブル１２０のパターンコードＢ００３に対応付けられているので対応の動きコード「Ｃ２」が取り出され、動きコード「Ｃ２」の意味に従い、画像の動きを表示画像を垂直上方向に移動するようにして動かすチルトアップ動作と決定する。
また、画像のパターンが「人物」の時はその画像は動作テーブル１２０のパターンコードＢ００４に対応付けられているので対応の動きコード「Ｚ２」が取り出され、動きコード「Ｚ２」の意味に従い、画像の動きを中心方向にズームインするズームイン中央動作と決定する。
【００６２】
以下、同様にしてベストショットモードで撮影された画像は動作テーブル１２０のパターンコードに対応付けられているので対応の動きコードを取り出し、動きコードの意味に従い、画像の動きを決定することができる。つまり、撮影条件セットに対応してスライドショーの動きを決定することにより、被写体に最適なスライドショー表示を行うことができる。
【００６３】
なお、スライドショー表示の際、動きを規定する撮影情報はＡＦ情報やベストショットモードに限定されず、ズーム倍率、静止画／動画の別等を撮影時にスライドショー表示の際動きを規定する撮影情報として用いることができ、このような撮影情報を図６の動作決定アルゴリズムに加えることもできる。
具体的には、図６のステップＴ５−１、Ｔ５−３、Ｔ５−５に示したような判断ステップを各撮影情報に対応づけて設け、ステップＴ５−２、Ｔ５−４、Ｔ５−６、Ｔ５−７に示したような動き規定ステップを判断ステップに対応付けて設けたり、撮影情報に対応させて図１１に示したような動作テーブルを設定しておき、再生時に、動作テーブルを参照して動きコードを取り出し、動きを決定するようにすればよい。
【００６４】
上記実施形態ではデジタルカメラを画像表示装置の例として説明したが、画像表示装置という語はデジタルカメラに限定されない。本発明は、例えば、表示部を備えた電子カメラや撮像装置、カメラ付き携帯電話、携帯情報端末、パソコン、画像記憶部及び表示部を備えた通信端末、画像表示部を備えたクレードル等にも適用できる。
【００６５】
（実施形態２）  
上記実施形態１では本発明のスライドショー表示方法をデジタルカメラ等の撮像装置や画像表示装置に適用する場合について説明したが、本発明は画像データを保存する保存メモリを備え、画像を再生して外部表示装置に出力して外部表示装置に表示させるデジタルアルバム装置等の画像再生装置にも適用できる。
【００６６】
図１５は画像再生装置によるスライドショー表示の概略説明図であり、符号１００はデジタルカメラ（図１）、符号１５０はデジタルカメラ１００を装着したクレードル、符号２００は画像再生装置（この例では、据え置き型のデジタルアルバム装置）、符号２３０は外部表示装置（この例ではテレビモニタ）であり、符号３００はパソコンである。
クレードル１５０と画像再生装置２００はＵＳＢケーブル１６０で接続可能である。また、画像再生装置２００はテレビモニタ等の外部表示装置２３０とケーブル２４０を介して接続可能である。更に、画像再生装置２００とパソコン３００はＬＡＮケーブル（又は無線ＬＡＮ）３１０を介してＬＡＮ（Local Area Network）接続可能であり、パソコン３００はＡＤＳＬ（Asymmetric Digital Subscriber Line）を介してインターネット（図示せず）と接続可能である。なお、画像再生装置２００とパソコン３００はＵＳＢケーブルで接続するようにしてもよい。
【００６７】
画像再生装置２００は保存・記録モードでクレードル１５０を介して転送されるデジタルカメラ１００の撮影画像データ及び撮影情報（本実施例では、ＡＦ情報（合焦位置情報及び被写体距離）やベストショットモードのパターン情報）を取り込み保存メモリに画像データ及びその画像データとＡＦ情報等の撮影情報を対応付けて保存・記録する。また、スライドショー表示モードでは指定された画像の画像データをそのＡＦ情報の撮影情報と共に読み出して、画像の動きを決定してテレビモニタ等の外部表示装置２３０に出力して決定された動きに従ったスライドショー表示を行わせる。
【００６８】
また、画像再生装置２００は保存・記録モードでＬＡＮケーブル３１０等を介して転送される画像データ及びＡＦ情報の撮影情報を取り込み保存メモリに画像データ及びその画像データとＡＦ情報の撮影情報を対応付けて保存・記録することもできる。また、スライドショー表示モードでは指定された画像の画像データをそのＡＦ情報等の撮影情報と共に読み出して、画像の動きを決定しＬＡＮケーブル３１０等を介してパソコン３００のモニタ画面に出力して画像表示装置２００で決定した動きに従ったスライドショー表示を行わせることもできる。更に、パソコン３００はＡＤＳＬを介してインターネットと接続し、インターネットに接続する表示装置や閲覧サイトに画像再生装置２００で決定した動きを伴う画像データを送信することもできる。
【００６９】
図１６は本発明を適用可能な画像再生装置の電子回路構成例を示すブロック図であり、画像再生装置２００は、制御部２１０、キー入力部２１１、ＵＳＢ部２１３、ＤＲＡＭ２２０、ＪＰＥＧ回路２２１、保存メモリ２２２、ＶＲＡＭ２２３、ＶＲＡＭコントローラ２２４、デジタルビデオエンコーダ２２５、及び外部表示装置２３０とケーブル接続するためのケーブル接続部（図示せず）を備えている。なお、外部からの画像データ受信部としてＵＳＢ部２１３の外に（或いはＵＳＢ部２１３に代えて）赤外線通信やブルートゥース等の近距離通信部２１４や無線によりデータを送受信する無線通信部２１５を設けるようにしてもよい。
【００７０】
制御部２１０は、ＣＰＵ、ＲＡＭ、プログラム格納用ＲＯＭおよびタイマー等の計時機構を備えたマイクロプロセッサ構成を有しており、ＣＰＵは、上述の各回路および図示しない電源切換えスイッチ等にバスラインを介して接続し、プログラム格納用ＲＯＭに格納されている制御プログラムにより画像再生装置２００全体の制御を行なうと共に、キー入力部１１からの状態信号に対応してプログラム格納用ＲＯＭに格納されている各モードに対応の動作プログラムを取り出して、画像再生装置２００の各機能の実行制御、例えば、再生画像の動き、つまり、元となる１枚の静止画像についてパン、チルト、ズームなどの視覚的な変化を与える処理決定、再生した画像データを決定された処理に従って外部表示装置に出力、表示させる際の実行制御等を行う。
【００７１】
制御部２１０は、保存記録モードにおいて、ＵＳＢ部２１３を介して外部撮像装置（本実施例ではデジタルカメラ１００（図１））からＤＲＡＭ２２０に取り込んだ１フレーム分の画像データ（圧縮画像データ）をその画像データのＡＦ情報と関連付けて保存メモリ２２２に保存する。そして１フレーム分の画像データの書込み終了に伴って、制御部２１０はＵＳＢ部２１３からＤＲＡＭ２２０への経路を再び起動する。
また、再生時には、保存メモリ２２２に記録されている画像データを選択的に読出し、ＪＰＥＧ回路２２１で圧縮されている画像データを伸張させ、伸張した画像データをＶＲＡＭコントローラ２２４を介してＶＲＡＭ２２３に展開して記憶させた上で、デジタルビデオエンコーダ２２５にＶＲＡＭ２２３から定期的に読出させ、これらの画像データを元にビデオ信号を生成させ表示部２３０に送って再生出力させる。
【００７２】
操作部２１１は、電源ボタン２１１１、モード選択ボタン２１１２、画像選択ボタン２１１３（図１５）等からなる操作キー及び動作中に点灯する表示ランプ２１１４等のランプから構成され、それらのキー操作に伴う信号は直接制御部２１０に送出される。
【００７３】
ＵＳＢ部２１３はＵＳＢケーブル１６０等のＵＳＢケーブルを接続した場合にデータの授受を行うＵＳＢインターフェイスであり、保存・記録モードにおいてデジタルカメラ等の撮像装置やクレードル等の転送装置から送信される画像データ及び撮影データ等を受信する。
【００７４】
ＤＲＡＭ２２０は作業用メモリとして用いられ、スライドショー表示モードにおいて、受信した画像データを一時的に記憶する画像バッファ領域やサムネイル画像記憶領域、ＡＦ情報等の撮影情報記憶領域、ＪＰＥＧ伸張時時の作業用領域等が確保される。
【００７５】
ＪＰＥＧ回路（Joint Photgraph cording Experts Group）２２１はＡＤＣＴ（Adaptive Discrete Cosine Transform：適応離散コサイン変換）、エントロピ符号化方式であるハフマン符号化等の逆処理により圧縮画像データを伸張する。なお、本実施例では圧縮データを伸張するための圧縮データ伸張部としてＪＰＥＧ回路２２１を用いるようにしたが、ＪＰＥＧ回路２２１の代わりによく知られた圧縮データ伸張プログラムを用いるようにしてもよい。
【００７６】
保存メモリ２２２はフラッシュメモリや光ディスク等の記録媒体からなり画像データ（圧縮画像データ）を保存記録する。ＡＦ情報等の撮影情報を登録する画像情報登録リスト（図示せず）等を記録する。なお、フラッシュメモリに代えてメモリカードのように着脱可能な記憶媒体を用いるようにしてもよい。
【００７７】
デジタルビデオエンコーダ２２５は、ＪＰＥＧ回路２２１でデータ圧縮手順とまったく逆の手順で伸張された画像データをＶＲＡＭコントローラ２２４を介してＶＲＡＭ２３に展開して記憶させた上で、ＶＲＡＭ２２３から定期的に読出し、これらの画像データを元にビデオ信号を生成してテレビモニタ等の外部表示装置２３０に送って再生出力させる。なお、外部表示装置２３０がデジタル入出力表示装置の場合はデジタルビデオエンコーダ２２５は不要である。
【００７８】
外部表示装置２３０は、ケーブル２４０を介して画像再生装置２００と接続してデジタルビデオエンコーダ２２５からのビデオ信号に基づいた表示を行うことで、その時点でＶＲＡＭコントローラ２２４から取込んでいる画像データに基づく画像をスライドショー表示することになる。
【００７９】
図１７は保存記録モード時の動作プログラムによる画像再生装置の制御部の制御動作例を示すフローチャートである。以下、クレードル１５０を介してデジタルカメラ１００から画像データ等を取り込む例について、図１５及び図１６を基に説明する
【００８０】
ユーザはデジタルカメラ１００を装着したクレードル１５０と画像再生装置２００がＵＳＢケーブル１６０で接続しているか否かを調べ、接続している場合は選択ボタン２１１２（図１６）を操作して保存記録モードの選択を行う（ステップＵ０）。  制御部２１０は操作部２１１からの信号を元にユーザが保存記録モードを選択したか否かを調べ、保存記録モードの選択がされた場合はステップＵ２に進み（ステップＵ１）、クレードル１５０を介してデジタルカメラ１００から転送される画像データ、そのＡＦ情報の撮影情報、及びサムネイル画像データを受信し（ステップＵ２）、受信した画像データ、ＡＦ情報の撮影情報、及びサムネイル画像データをＤＲＡＭ２２０に一時記憶してから（ステップＵ３）、画像データ、サムネイル画像データ、及びＡＦ情報を対応付けて保存メモリ２２２記録する（ステップＵ４）。
【００８１】
上記図１７のフローチャートに示した動作により画像再生装置２００はデジタルカメラ１００等の撮影画像及びスライドショー表示の際動きを規定する撮影情報（この例ではＡＦ情報やベストショットのサンプルパターンの識別情報（図１２参照））を撮影画像に対応付けて保存メモリに記録することができる。
例えば、ベストショットモードの場合は、図１２（ａ）に示したように、選択されたベストショットのサンプルパターンの識別情報（「風景」→Ｂ００１、「夕日」→Ｂ００２、・・・）を撮影情報とし、図１２（ｂ）に示したようにこれらの識別情報に動きを示す動作コード（Ｐ１、Ｃ１、・・・）を対応付けた動作テーブル１２０を予め保存メモリに記録しておき、撮影画像の保存時に撮影画像を動作テーブル１２０中の動作コードと対応付けてそれらを記録するように構成することができる。
なお、スライドショー表示の際動きを規定する撮影情報はＡＦ情報やベストショット（最適撮影モード）に限定されず、ズーム倍率、静止画／動画の別等を撮影時にスライドショー表示の際動きを規定する撮影情報として撮影画像に対応付けて保存メモリに記録するようにしてもよい。
また、楽曲や音声を撮影時或いは撮影後に撮影画像に対応付けて記録し、スライドショー表示の際動きを規定する撮影情報と共に撮影画像に対応付けて保存メモリに記録するようにしてもよい。
【００８２】
図１８はスライドショー表示モード時の動作プログラムによる画像再生装置の制御部の制御動作例を示すフローチャートである。以下、図１５及び図１６を基に説明する。
まず、制御部２１０はユーザがモード選択ボタン２１１２を操作してスライドショー表示モードを選択したか否かを調べ（ステップＶ１）、スライドショー表示モードが選択された場合は複数のサムネイル画像を外部表示装置２３０に送ってマルチ表示させてユーザに画像の選択を促し、ユーザが画像を選択するとステップＶ３に進む（ステップＶ２）。
画像が選択されると保存メモリ２２２から選択された画像の画像データ（圧縮画像データ）を読み出してＤＲＡＭ２２０に一時記憶する（ステップＶ３）。また、上記ステップＶ３で読み出した画像データに対応付けられているＡＦ情報等の撮影情報を保存メモリ２２２から読み出してＤＲＡＭ２２０に保持（一時記憶）する（ステップＶ４）。
【００８３】
次に制御部２１０は図６又は図１１に示したような決定動作によりＤＲＡＭ２２０に保持したＡＦ情報に基づいて再生画像の動きを決定し（ステップＶ５）、ＤＲＡＭ２２０に記憶した画像データを読み出してＪＰＥＧ回路２２１を制御して伸張処理を施させ（ステップＶ６）、
伸張した画像データをＶＲＡＭコントローラ２２４を介してＶＲＡＭ２２３に展開して記憶させた上で（ステップＶ７）、デジタルビデオエンコーダ２２５にＶＲＡＭ２２３からステップＶ５で決定された動きに従って読出させてこれらの画像データを元にビデオ信号を生成させ（ステップＶ８）、外部表示装置２３０に送ってスライドショー表示させる（ステップＶ９）。
なお、上記ステップＶ５で引用する図６の動作決定フローチャートのステップＴ４、ステップＴ５−０〜ステップＴ５−７、ステップＴ６は、ステップＶ４、ステップＶ５−０〜ステップＶ５−７、ステップＶ６と読み替え、図１１の動作決定フローチャートのステップＴ５、Ｔ５−０、Ｔ５−１０〜ステップＴ５−１２はステップＶ５、Ｖ５−０、Ｖ５−１０〜ステップＶ５−１２と読み替え、メモリーカード５１は保存メモリ２２２と読み替え、ＤＲＡＭ１４はＤＲＡＭ２２０と読み替えるものとする。
【００８４】
上記図１８に示したフローチャートの動作により画像再生装置２００に保存されている画像をＡＦ情報やベストショットモード等の撮影情報に基づいて決定された動き（例えば、パン動作、チルト動作、ズームイン動作）に従って再生し、テレビモニタ等の外部表示装置２３０に被写体に最適なスライドショー表示をさせることができる。
つまり、ステップＶ５（図６又は図１１に示した画像の動作決定アルゴリズム）で決定された動作により、ステップＶ６で、外部表示装置２３０の画面上で遠景や風景の被写体はパン動作により遠景全体を見回すように再生画像が表示され、近景左側の被写体にはズームイン左動作により左側に焦点を合わすように再生画像がズームされ、近景中央の被写体にはズームイン中央動作により中央に焦点を合わすように再生画像がズームされ、近景右側の被写体にはズームイン右動作により中央に焦点を合わすように再生画像がズームされるので、ユーザは静止画像であってもあたかも動画をみているかのような動きと臨場感を得ることができる。また、ベストショットモードで風景を撮影した画像は広がりのあるパノラマ感が横へのパン動作で表現され、夕日を撮影した画像はチルトダウン動作により画像を上方向から下方向に表示するので、日没時の上から下への動きや明るい空の比率を減らし夕暮れの進行が演出される。
また、楽曲や音声をスライドショー表示の際に動きと共に再生画像に対応付けて出力する場合には、例えば、上記ステップＶ６の前段に楽曲や音声の出力開始ステップを設け、ステップＶ６の後段に楽曲や音声の出力終了ステップを設けることにより、楽曲や音声出力を画像の動きに対応付けることができる。
なお、読み出して再生するデータは色々な選択方法がある。例えば、所定のフォルダ内の画像を所定の順序で表示しても良い。
【００８５】
上記実施形態２では画像再生装置を専用装置として説明したが、本発明は画像再生装置として電子カメラや撮像装置、携帯情報端末、パソコン、画像記憶部を備えた通信端末、画像記憶部を備えたクレードル、などにも適用できる。
【００８６】
以上、本発明のいくつかの実施例について説明したが本発明は上記各実施例に限定されるものではなく、種々の変形実施が可能であることはいうまでもない。
【図面の簡単な説明】
【００８７】
【図１】本発明のスライドショー表示方法を実施可能なデジタルカメラの内部構成例を示すブロック図である。
【図２】メモリーカードの記憶領域構成の一実施例を示す図である。
【図３】マルチエリアＡＦの説明図である。
【図４】撮影モード時の動作プログラムによるデジタルカメラの制御部の制御動作例を示すフローチャートである。
【図５】スライドショー表示モード時の動作プログラムによるデジタルカメラの制御部の制御動作例を示すフローチャートである。
【図６】スライドショー表示モード時の動き決定動作プログラムによる制御部の制御動作例を示すフローチャートである。
【図７】パン動作による動きの説明図である。
【図８】ズームイン左への動きの説明図である。
【図９】ズームイン中央への動きの説明図である。
【図１０】ズームイン右への動きの説明図である。
【図１１】ベストショットモードで撮影された画像のスライドショー表示モード時の動き決定動作プログラムによる制御部の制御動作例を示すフローチャートである。
【図１２】ベストショットモード時の動作テーブルの一例を示す図である。
【図１３】パン動作による動きの説明図である。
【図１４】チルトアップの動きの説明図である。
【図１５】画像再生装置によるスライドショー表示の概略説明図である。
【図１６】本発明を適用可能な画像再生装置の電子回路構成例を示すブロック図である。
【図１７】保存記録モード時の動作プログラムによる画像再生装置の制御部の制御動作例を示すフローチャートである。
【図１８】スライドショー表示モード時の動作プログラムによる画像再生装置の制御部の制御例を示すフローチャートである。
【図１９】ズームイン動作の説明図である。
【符号の説明】
【００８８】
１１  光学系（撮像手段）
１２  信号変換部（撮像手段）
１３  信号処理部
２０  制御部（動き決定手段、データ読み出し制御手段、保存制御手段、表示制御手段）
５１  メモリーカード（保存メモリ）
１００  デジタルカメラ（画像表示装置、撮像装置）
１１４  ＡＦ装置（ＡＦ情報取得手段、撮影情報取得手段）
２００  画像再生装置
２２０  保存メモリ
２３０  外部表示装置
３００  パソコン
【図１】
2006054523.tif 000003
【図２】
2006054523.tif 000004
【図３】
2006054523.tif 000005
【図４】
2006054523.tif 000006
【図５】
2006054523.tif 000007
【図６】
2006054523.tif 000008
【図７】
2006054523.tif 000009
【図８】
2006054523.tif 000010
【図９】
2006054523.tif 000011
【図１０】
2006054523.tif 000012
【図１１】
2006054523.tif 000013
【図１２】
2006054523.tif 000014
【図１３】
2006054523.tif 000015
【図１４】
2006054523.tif 000016
【図１５】
2006054523.tif 000017
【図１６】
2006054523.tif 000018
【図１７】
2006054523.tif 000019
【図１８】
2006054523.tif 000020
【図１９】
2006054523.tif 000021